(57)【要約】【課題】本発明は、マスクの非着用時にマスクを衛生的に保持・収容するものとして、また予備のマスクを携帯するための保持具として使用することができるマスク収容具を提供することを目的とする。【解決手段】表容器（２７）と裏容器（２８）とがヒンジ部（２９）で接続された容器本体（２）と、表容器（２７）と裏容器（２８）にそれぞれヒンジ部（３４）を介して接続された２枚のマスク抑え部（３）を備え、マスク抑え部（３）を開いた状態で、マスクを半分に折り畳んで載せ、さらに容器を折り畳んで、四つ折りして収容するようにしたことを特徴とするマスク収容具。【選択図】図１
2022000140.tif 000002
【特許請求の範囲】
【請求項１】
表容器（２７）と裏容器（２８）がヒンジ部（２９）で接続された容器本体（２）と、表容器（２７）と裏容器（２８）に、それぞれヒンジ部（３４）を介して接続されたマスク抑え部（３）を備え、
マスク抑え部（３）を開いた状態で、マスクを置いて、マスクに触れることなく、マスク抑え部（３）を折り畳むことで、マスクを短辺方向に折り畳み、さらに、表容器（２７）と裏容器（２８）を折り畳んで、四つ折りして収容するようにしたことを特徴とするマスク収容具。
【請求項２】
表容器（２７）と裏容器（２８）のヒンジ部（２９）とは異なる端片に第１マスク固定爪（２１）を備えるか、又はマスク抑え部（３）の内側に第２マスク固定爪（３１）を備えることで、少なくとも一方にマスクの端片を挿入して、かませた状態でマスクを設置することで、マスクがずれることなく収容できるようにしたことを特徴とする請求項１記載のマスク収容具
【請求項３】
マスク抑え部（３）に、大きなマスクの紐を引っ掛け固定するための大人用マスク紐固定爪（３３１）と、小さなマスクの紐を引っ掛け固定するための子供用マスク紐固定爪（３３２）の２種類の固定爪を備えることで、マスクの大きさに関係なく収納できることを特徴とする請求項１又は２に記載のマスク収容具。
【請求項４】
容器本体（２）に、ボールチェーン穴（２２）を備え、ボールチェーンやキーホルダーなどをつけるようにしたことで持ち運びが簡単になった携帯ケース型を特徴とする請求項１から３のいずれか一つに記載のマスク収容具。
【請求項５】
容器本体（２）に表容器（２７）の表面又は裏容器（２８）の裏面の四隅のそれぞれに、スタッキングするためのスタッキング凹部（２５）、または、スタッキング凸部（２６）を備え、容器本体を積み重ねられるようにしたことを特徴とする請求項１から４のいずれか一つに記載のマスク収容具。
【発明の詳細な説明】
【技術分野】
【０００１】本発明は、マスクの着脱時にマスクを収容し、保持・携帯するためのマスク収容具に関する。
【背景技術】
【０００２】花粉や風邪等の大気中に舞うウイルス・微粒子を体内に吸い込むのを防ぐため、また唾液等の分泌物・口内唾液・鼻水等の飛沫物を周囲に飛散するのを防ぐなどのために、鼻口部を覆う衛生マスク（以下マスクと呼ぶ）が使用される。近年は特に感染性の強いインフルエンザやＣＯＶＩＤ−１９などの流行により、マスクの需要が高まりを見せ、日常的に使用する頻度が増えている。
外出時などにマスクを一時的に外すなどの際に、ウイルス等の付着を防ぎ、また他者への衛生的観点からの配慮のため、衛生的にマスクを一時的に収容・保持するための収容具を開発するに至った。
【発明の概要】
【発明が解決しようとする課題】
【０００３】本発明は、マスクの非着用時にマスクを衛生的に保持・収容するものとして、また予備のマスクを携帯するための保持具として使用することができるマスク収容具を提供することを課題とする。衛生的にマスクを収容・保持することで、手指へのウイルス等への接触を防ぐ。
【課題を解決するための手段】
【０００４】表容器（２７）と裏容器（２８）がヒンジ部（２９）で接続された容器本体（２）と、表容器（２７）と裏容器（２８）に、それぞれヒンジ部（３４）を介して接続されたマスク抑え部（３）を備え、
マスク抑え部（３）を開いた状態で、マスクを置いて、マスクに触れることなく、マスク抑え部（３）を折り畳むことで、マスクを短辺方向に折り畳み、さらに、表容器（２７）と裏容器（２８）を折り畳んで、四つ折りして収容するようにしたことを特徴とするマスク収容具【０００５】表容器（２７）と裏容器（２８）のヒンジ部（２９）とは異なる端片に第１マスク固定爪（２１）を備え、マスクの端片を挿入することで、マスクがずれることなく収容できるようにしたことを特徴とするマスク収容具【０００６】マスク抑え部（３）に、大きなマスクの紐を引っ掛け固定するための大人用マスク紐固定爪（３３１）と、小さなマスクの紐を引っ掛け固定するための子供用マスク紐固定爪（３３２）の２種類の固定爪を備えることで、マスクの大きさに関係なく収納できることを特徴とするマスク収容具。【０００７】容器本体（２）に、ボールチェーン穴（２２）を備え、ボールチェーンやキーホルダーなどをつけるようにしたことで持ち運びが簡単になった携帯ケース型を特徴とするマスク収容具。【０００８】容器本体（２）に表容器の表面又は裏容器の裏面の四隅のそれぞれに、スタッキングするためのスタッキング凹部（２５）、または、スタッキング凸部（２６）を備え、容器本体を積み重ねられるようにしたことを特徴とするマスク収容具。
【図面の簡単な説明】
【０００９】
【図１】本発明のマスク収容具の上部を斜めから見た図（実施形態１）
【図２】本発明のマスク収容具の下底部を斜めから見た図（実施形態１）
【図３】本発明のマスク収容具において、マスクを収納し、二つ折りにしたときの図（実施形態１）
【図４】本発明のマスク収容具において、マスクを収納し、四つ折りにしたときの図（実施形態１）
【図５】本発明のマスク収容具において、マスク紐固定爪に改良を加え、上部を斜めから見た図（実施形態２）
【図６】本発明のマスク収容具において、マスク紐固定爪に改良を加え、マスクを収納し、二つ折りにした時の図（実施形態２）
【発明を実施するための形態】
【００１０】図１から図４で本発明の実施形態１、図５と図６で実施形態２の構成と機能を説明する。
【００１１】（実施形態１）
図１は、マスク収容具を開いてマスクを載せた状態、図２は、図１の裏から見た斜視図、図３は、マスク抑え部で、マスクを挟んだ状態、図４は、マスクを収容した状態で容器本体を折り畳んだ状態を示す。
【００１２】  本実施例のマスク収容具は、一般に市販されている形状のマスク（４）に対して使用するものとする。マスク（４）は、一例として長辺１７．５ｃｍ及び短辺９ｃｍの矩形状とし、その２つの短辺には伸縮性を持つ耳掛け紐（４２）を左右に備えている
【００１３】  図１に、本実施例に係るマスク収容容器の構成を示す。このマスク収容容器（２）は、容器本体（２）とマスク抑え部（３）から構成される。容器本体（２）は表容器（２７）と裏容器（２８）がヒンジ部（２９）により接続されており、ケース固定爪（２３）とケース固定爪のはめ込み部（２４）により２つ折り時に開閉できる。マスク抑え部（３）は、ヒンジ部（３４）により表容器（２７）・裏容器（２８）とそれぞれに接続されており、容器開閉時にはマスクとともに本体内側に折り込む構造である。
【００１４】マスク抑え部（３）が展開した状態で、マスク（４）のプリーツを矩形の状態にして設置する。
その後、マスク抑え部（３）を介して、マスクを折りたたむことで、外気に触れてウイルス等の付着の恐れがあるマスクの外側に手指が触れずに折りたたむことを可能としている。
また、第１マスク固定爪（２１）の下および、マスク抑え部（３）の第２マスク固定爪（３１）にかませた状態でマスクを設置することで、表容器（２７）と裏容器（２８）の開閉時にマスクが本体よりはみだすことなく、固定することができる。
【００１５】図２は（２）容器本体の展開時を下底部から見た図である。マスク抑え部（３）は、第２マスク固定爪（３１）マスク紐固定爪（３３）を備えている。スタッキング凹（２５）、スタッキング凸（２６）を備えることで、容器（２）本体同士を接続することで連結した状態で保管することもでき、紛失の恐れをなくし、コンパクトに保管することを可能としている。
【００１６】図３は、表容器（２７）裏容器（２８）を展開した状態で、マスク抑え部２枚とマスクを、ともに短辺方向を半分に折りたたんだ状態の図である。
その後、２枚のマスク抑え部（３）ごとに、マスク（４）を短辺方向に２つ折りする。マスク紐（４２）をマスク紐固定爪（３３）で固定することで、容器の開閉時に緩衝することなく、マスクを折りたたむことが出来る。
なお第１マスク固定爪（２１）は、マスク抑え部（３）にはめこみ部（３２）を設けることにより互いに緩衝しない形状としている。
【００１７】図４はヒンジ（２９）を起点に、さらに容器本体を半分に折りたたみ、ケース固定爪（２３）とケース固定爪のはめ込み部（２４）で固定し、四つ折りとなった状態の図である。定形性のある容器本体（２）かつ固定爪（２３）で閉じるため、隙間からマスクがはみ出ることなく、四つ折りにすることでコンパクトに持ち歩くことを可能としている。
携帯性をあげるためにボールチェーン穴（２２）を備えることで、バッグやファスナー等に装着して、容易に持ち歩けるようにしている。
【００１８】（実施形態２）
図５と図６で、本発明のマスク抑え部（３）に大人用と子供用の２種類のマスク紐固定爪（３３）の備えた実施形態２を示す。
図５は、マスク抑え部（３）が展開した状態で、マスク（４）を載せた状態である。
その後、マスク抑え部（３）を介して、マスクを折りたたむことで、外気に触れてウイルス等の付着の恐れがあるマスクの外側に手指が触れずに折りたたむことを可能としている。
【００１９】図６は、表容器（２７）裏容器（２８）を展開した状態で、マスク抑え部２枚とマスクを、ともに短辺方向を半分に折りたたんだ状態の図である。
マスク抑え部（３）のマスク紐固定爪（３３）を大人用マスク紐固定爪（３３１）と子供用マスク紐固定爪（３３２）の２つに分けることによって、マスクのサイズによるマスク紐（４２）のたるみを解消し、スムーズな収納を可能としている。
【産業上の利用可能性】
【００１８】衛生的にマスクを収容・保持することで、手指へのウイルス等への接触を防ぐことのできるマスク収容具を提供する。
【符号の説明】
【００１９】１  マスク収容具
２  容器本体
２１    第１マスク固定爪
２２    ボールチェーン穴
２３    ケース固定爪
２４    ケース固定爪のはめ込み部
２５    スタッキング凹部
２６    スタッキング凸部
２７    表容器
２８    裏容器
２９    ヒンジ部
３  マスク抑え部
３１    第２マスク固定爪
３２    はめ込み部
３３    マスク紐固定爪
３３１  大人用マスク紐固定爪
３３２  子供用マスク紐固定爪
３４    ヒンジ部
４  マスク
４１    マスク本体
４２    マスク紐
【図１】
2022000140.tif 000003
【図２】
2022000140.tif 000004
【図３】
2022000140.tif 000005
【図４】
2022000140.tif 000006
【図５】
2022000140.tif 000007
【図６】
2022000140.tif 000008